(57)【特許請求の範囲】
【請求項１】
脚体１の上端に設けた支持フレーム２に取付けた座体３と、ばね等の弾性支持手段に抗して後傾動する背もたれ４とを備え、前記背もたれ４を、人の背中を支持する背中支持部８と人の腰部を支持する腰支持部９とで構成し、これら背中支持部８と腰支持部９とを別体に分離するか又は屈曲自在に連接して成る椅子において、
前記背中支持部８を、前記座体３又は支持フレーム２に後傾動自在に枢着した傾動体１０に取付け、傾動体１０又は背中支持部８に、前記腰支持部９に固着した第１リンク１４を、その上端を中心にして前後方向に回動し得るように枢着し、前記傾動体１０と第１リンク１４とを、それら傾動体１０と第１リンク１４とに回動自在に枢着した第２リンク１７で連結し、更に、前記支持フレーム２と第２リンク１７とを、それら支持フレーム２と第２リンク１７に回動自在に枢着した第３リンク２５で連結し、第３リンク２５によって第２リンク１７の回動を抑制することにより、傾動体１０の後傾動に連動して第１リンク１４がその上端を中心にして相対的に前向き回動するように設定していること、
を特徴とする椅子における背もたれの支持構造。
【請求項２】
「請求項１」において、前記座体３を、支持フレーム２に対して後傾動自在に取付け、この座体３と前記傾動体１０とを、傾動体１０が後傾動すると座体３が後傾動するように連動させていることを特徴とする椅子における背もたれの支持構造。
【請求項３】
「請求項１」又は「請求項２」において、前記第２リンク１７の上端が第１リンク１４に取付く高さ位置を調節し得ることを特徴とする椅子における背もたれの支持構造。
【発明の詳細な説明】
【０００１】
【発明の属する技術分野】
本発明は、椅子における背もたれの支持構造に関するものである。
【０００２】
【従来の技術】
椅子において、単に背もたれが後傾するに過ぎない構成では、背もたれにもたれ掛かったロッキング時に人の腰に対するサポートがおろそかになって、腰椎や脊髄に負担をかける場合があった。
そこで、椅子の背もたれを、人の背中を支持する背中支持部と腰部（或いは臀部）を支持する腰支持部とで構成し、人が背もたれにもたれ掛かったロッキング時に腰支持部を相対的に前向き突出させることにより、ロッキング時に上半身を安定した状態で支持することが考えられている。
【０００３】
この具体的手段として、例えば本願出願人の先願に係る特開平７−９５９１１  号公報や特開平７−９５９１３  号公報、特開平７−１５５２３３号公報には、脚体の上端に固着した支持フレームに斜め上向きの後傾状に延びるガイド部材を取り付けて、このガイド部材によるガイド作用を利用して、背中支持部の後傾動に連動して腰支持部を側面視で引き伸ばすように変形させることが開示されている。
【０００４】
また、同様に本願出願人の先願に係る特開平７−１６３４３６号公報や特開平７−１８４７４１号公報には、背中支持部の後傾動に連動して変形する弾性部材を利用して、腰支持部を前向きに突き出すことが開示されている。
【０００５】
【発明が解決しようとする課題】
しかし、特開平  ７−９５９１１号、同  ７−９５９１３号、同７−１５５２３３号の各公報のようにガイド部材を使用して腰支持部を変形させるものでは、非ロッキング状態での身体の適切な支持のためには腰支持部をあまり変形し易い状態にできないため、ロッキング時における腰支持部の変形が背もたれの後傾動に対する抵抗として作用し、このためロッキング時に背中支持部及び腰支持部を円滑に後傾動させ難い虞があった。
【０００６】
また、特開平７−１６３４３６号公報や特開平７−１８４７４１号公報のように弾性部材を使用して腰支持部を押し出すものでは、ロッキング時の身体の反力による弾性部材の戻り変形を防止するためには当該弾性部材の弾性力を変形しにくくしなければならず、かくすると、背もたれの円滑な後傾動が阻害されることになり、これまた、背もたれの円滑な後傾動と身体の適切な支持とが相反するのであった。
【０００７】
本発明は、背もたれを背中支持部と腰支持部とに形成してロッキング時にこれらを相対動させるにおいて、腰支持部による腰の支持機能機能を損なうことなく、背もたれをスムースに傾動させ得るようにし、且つ、人の体格や好みに応じてロッキング時における上半身の支持状態を変更できるようにすることを目的とするものである。
【０００８】
【課題を解決するための手段】
この目的を達成するため本発明では、
「脚体の上端に設けた支持フレームに取付けた座体と、ばね等の弾性支持手段に抗して後傾動する背もたれとを備え、前記背もたれを、人の背中を支持する背中支持部と人の腰部を支持する腰支持部とで構成し、これら背中支持部と腰支持部とを別体に分離するか又は屈曲自在に連接して成る椅子において、
前記背中支持部を、前記座体又は支持フレームに後傾動自在に枢着した傾動体に取付け、傾動体又は背中支持部に、前記腰支持部に固着した第１リンクを、その上端を中心にして前後方向に回動し得るように枢着し、前記傾動体と第１リンクとを、それら傾動体と第１リンクとに回動自在に枢着した第２リンクで連結し、更に、前記支持フレームと第２リンクとを、それら支持フレームと第２リンクに回動自在に枢着した第３リンクで連結し、第３リンクによって第２リンクの回動を抑制することにより、傾動体の後傾動に連動して第１リンクがその上端を中心にして相対的に前向き回動するように設定する」
の構成にした。
【０００９】
【発明の実施形態】
次に、本発明の実施形態を図面に基づいて説明する。
図１〜図９は第１実施形態を示しており、このうち図１は椅子の縦断側面図、図２〜図４は部材の分離図、図５は図１のＶ−Ｖ  視断面図、図６は図１のＶＩ−ＶＩ視断面図、図７は図１のＶＩＩ−ＶＩＩ  視断面図、図８は要部の拡大図、図９はロッキング状態を示す図である。
この椅子は、脚体１と、脚体１の上端に固着した支持フレーム２と、該支持フレーム２に取付けたクッション付き座体３と、クッション付き背もたれ４とを備えており、座体３は座受け体５に固着されている。
【００１０】
図５〜７に示すように、前記支持フレーム２は正面視上向き開口コ字状に形成されている。他方、図１及び図５に示するように、座受け体５は正面視で支持フレーム２の左右側板２ａの内側に位置しており、座受け体５の側板を支持フレーム２の側板２ａの前端部に水平状の第１軸６によって枢着している。この場合、第１軸６を嵌めるために支持フレーム２の側板２ａに穿設した第１枢支穴７を側面視で下向き凹状の円弧孔に形成している。従って、座体３は後傾動しつつ後退動し得る。
【００１１】
背もたれ４は、人の背中を支持する背中支持部８と、人の腰部を支持する腰支持部９とに分離構成されており、背中支持部８は側面視略Ｌ字状の傾動体１０の上部に固着されている（図３も参照）。傾動体１０の前端は、支持フレーム２の側板２ａに第２軸１１によって枢着されている。更に、傾動体１０のうち前端よりもやや後方に位置した部位は、第３軸１２によって座受け体５に枢着されている。
【００１２】
従って、人が背もたれ４にもたれ掛かると、傾動体１０が第２軸１１を中心に後傾動すると共に、これに連動して座体３は第１枢支孔７にガイドされて後退動しつつ後傾動することになる。
前記腰支持部９は第１リンク１４に固着されている。第１リンク１４は腰支持部９よりも上方に大きく突出しており、この上向き突出部１４ａ  を第４軸１５によって傾動体１０の上部に枢着している。この場合、第１リンク１４の上向き突出部１４ａ  を側面視で前向き凹状に形成することにより、背中支持部８の下端部が上向き突出部１４ａ  に嵌まり込むようにしている。換言すると、背中支持部８と腰支持部９との相対的な回動を許容した状態で、第４軸１５を背中支持部８の下端よりも上方に配置できるようにしている。なお、第１リンク１４の上端は、背中支持部８に突設したブラケットに枢着しても良い。
【００１３】
第１リンク１４には、側面視で側面視で僅かに後傾状の姿勢で長く延びるピン穴１６を穿設しており、このピン穴１６を介して、側面視コ字状に形成した第２リンク１７の上部先端を第５軸１８で摺動自在及び回動自在に係着している。第２リンク１７の下部先端は、前記第３軸１２によって傾動体１０と座受け体５とに枢着されている。
【００１４】
図４や図８に明示するように、前記第２リンク１７の上部１７ａ  は下部から分離しており、両者に添え板１９をねじ２０で締結している。この場合、添え板１９のねじ挿通穴を上下方向に延びる長穴２１に形成することにより、第２リンク１７の上部１７ａ  の高さを無段階的に調節できるようにしている。換言すると、第４軸１５と第５軸１８との間隔寸法Ｌを調節できるようにしている。
【００１５】
また、図８に示すように、長穴２１の延長線２２と、前記第１リンク１４におけるピン穴１６の延長線２３とが、僅かの角度θで交差するように設定している。すなわち、ピン穴１６の延長線２３が長穴２１の延長線２２に対して相対的に後傾するように設定している。従って、第２リンク１７の高さを調節して第５軸１８を上方に移動させると、腰支持部９は前方に突出するように移動し、腰支持部９の初期姿勢が変更される。
【００１６】
なお、ピン穴１６の延長線２３と長穴２１の延長線２２とは平行でも良いし、ピン穴１６の延長線２３が長穴２１の延長線２２に対して相対的に前傾状になるように設定しても良い。
前記第２リンク１７の下部のうち先端よりも後方の部位と支持フレーム２との間に第３リンク２５を配置し、この第３リンク２５を第２リンク１７及び支持フレーム２に対して第６軸２６及び第７軸２７によって枢着している。
【００１７】
図示していないが、背もたれ４の後傾動及び座体３の後傾動はばね等の弾性支持手段によって弾性的に支持される。この場合、背もたれ４と座体３とを別々の弾性支持手段で支持しても良いし、一つの弾性支持手段で支持しても良い。なお、弾性支持手段は、単に椅子に腰掛けただけでは変形せず、背もたれ４にもたれ掛かって大きなモーメントが生じると変形するようなばね力に設定することになる。
【００１８】
なお、図９では第２リンク１７は一体の状態に表示しており、添え板１９によって高さを調節できる状態は省略している。
以上の構成において、図９に示すように、人が背もたれ４にもたれ掛かると背中支持部８が後傾動し、これに連動して座体３も支持フレーム２の第１枢支穴７にガイドされて後退動しつつ後傾動する。そして、第２リンク１７が第３リンク２５に突っ張った状態になって第３リンク２５の後傾動が抑制され、第１リンク１４と傾動体１０に対して相対的に前向きに回動する。
【００１９】
この場合、第５軸１８がピン穴１６内を上方に向けて移動することと、背中支持部８の下部が第１リンク１４の上向き突出部１４ａ  に入り込むことにより、第１リンク１４が傾動体１０に対して相対的に前向き回動することが許容され、その結果、背中支持部８に対して腰支持部９が相対的に前向き突出する。これにより、人の腰が腰支持部９によって的確にサポートされて、安楽なロッキング状態を得ることができる。
【００２０】
また、第２リンク１７の回動が第３リンク２５によって抑制されているため、背中支持部８と腰支持部９とを全体として後傾させるものでありながら、腰支持部９を背中支持部８に対して大きく相対動させることができる。
そして、第２リンク１７の高さを調節することにより、腰支持部９の初期姿勢及び背中支持部８に対する相対的突出の度合いを変更できる。つまり、図８に一点鎖線で示すように、第２リンク１７の上端の高さを高くすると、ピン穴１６の延長線２３と長穴２１の延長線２２とがある角度θをもって交差していることに起因して、腰支持部９は無荷重の初期状態において前方に突出し、且つ、第４軸１５と第５軸１８との間隔寸法Ｌが小さくなることにより、腰支持部９が背中支持部８に対して相対的に前傾動する角度が大きくなる。
【００２１】
従って、第５軸１８の高さを調節することにより、体格や好みに応じてロッキング状態を調節できるのである。なお、添え板１９に長穴２１を穿設することに代えて、ねじ２０が嵌まる丸穴を上下方向に適宜間隔で多数個穿設するこことにより、第５軸１８の高さを適当なピッチで段階的に調節できるようにするなど、他の調節形態でも良い。
【００２２】
図１０〜図１１に示すのは第２実施形態であり、図１０は縦断側面図、図１１はロッキング状態の縦断側面図である。
この実施形態も基本的には第１実施形態と同じである。第１実施形態との相違点は、▲１▼座受け体５と支持フレーム２の前部とを、第１軸６及び第８軸２９を介して枢着した第４リンク３０にって後退動及び後傾動自在に連結している点、▲２▼第２リンク１７を側面視Ｌ字状に形成している点、▲３▼第１リンク１４の上端を傾動体１０のうち背中支持部８の下端の箇所に第４軸１５で枢着している点である。
【００２３】
図示していないが、背もたれ４及び座体３の後傾動を弾性的に支持する弾性支持手段を設けている。また、背もたれ４及び座体３の傾動範囲は適当なストッパー手段で規制される。
この実施形態では第２リンク１７は調節不能な一体の状態に表示しているが、第１実施形態と同様に上下長さを調節できるようにして、第５軸１８の高さを無段階的又は段階的に調節できるようにしても良いことは言うまでもない。
【００２４】
ところで、前記第１実施形態のように、第１リンク１４の上向き突出部１４ａ  を側面視で前向き凹状に形成すると、背中支持部８と腰支持部９との相対的な回動を許容した状態で、第４軸１５を背中支持部８の下端よりも上方に配置できるため、腰支持部９が背中支持部８に対して大きく突出する度合いを大きくできて、腰の支持機能をより確実ならしめることができる。
【００２５】
このことは、図１２〜１５に示す参考例の構造によっても達成できる。この点を説明する。図１２は縦断側面図、図１３は図１２のＸＩＩＩ−ＸＩＩＩ視断面図、図１４は図１２のＸＩＶ−ＸＩＶ視背面図、図１５はロッキング状態の側面図であり、この例では、第１軸６  〜第３軸１２によって傾動体１０と座体３とを連動させている点は第１実施形態と同じである。また、第１実施形態と同じ形状の第１リンク１４を備えていて、これを第４軸１５によって傾動体１０の上部に枢着している点も同じである。
【００２６】
他方、第１実施形態とは、第１リンク１４と支持フレーム２とを、それらに第５軸１８及び第９軸３１にて枢着した第５リンク３２を介して連結している点が相違している。
この例においても、図１５に示すように、第１実施形態と同様に腰支持部９を背中支持部８に対して大きく前向き突出させることができる。
【００２７】
この例において、図１６に示すように、第４リンク３０を介して座受け体５を支持フレーム２に連結しても良い。
【００２８】
【発明の奏する効果】
上述の説明の通り、本願発明によると、人が背もたれ４にもたれ掛かると、傾動体の後傾動に連動して第１〜第３のリンクが確実に回動するため、腰支持部を背中支持部に対して相対的に前向き突出させることを確実ならしめることができる。また、腰支持部は第１リンクに固着されているから、腰支持部が人の腰の反力によって変形するようなことはなく、従って、ロッキング状態で人の上半身を安定した状態に的確にサポートできる。
【００２９】
そして、第３リンクで第２リンクを突っ張った状態にして、第１リンクの回動を抑制することにより、腰支持部を背中支持部に対して相対的に前向き突出させるものであるから、背中支持部と腰支持部とが一緒に移動するタイプでありながら、背中支持部に対して腰支持部を相対的に前向き突出させることが可能となり、その結果、ロッキング状態で背もたれ４を人の上半身にフィットさせることをより確実に実現できる。
【００３０】
また、請求項２のように構成すると、座体と背もたれとの間隔が広がり過ぎることを防止して、より快適なロッキング状態を得ることができる。
更に請求項３のように構成すると、第２リンクの高さを調節することにより、腰支持部の初期姿勢や、背中支持部に対して腰支持部が相対的的に前向き突出する度合いを調節できるので、人の体格や好みに応じて背もたれによるサポート状態を変更できる利点がある。
【図面の簡単な説明】
【図１】第１実施形態に係る椅子の縦断側面図である。
【図２】支持フレームと座体との分離側面図である。
【図３】各リンクの分離側面図である。
【図４】第２リンクの斜視図である。
【図５】図５は図１のＶ−Ｖ  視断面図である。
【図６】図１のＶＩ−ＶＩ視断面図である。
【図７】図１のＶＩＩ−ＶＩＩ  視断面図である。
【図８】要部の縦断側面図である。
【図９】ロッキング状態を示す図である。
【図１０】第２実施形態に係る椅子の縦断側面図である。
【図１１】図１０のロッキング状態を示す図である。
【図１２】参考例の縦断側面図である。
【図１３】図１２のＸＩＩＩ−ＸＩＩＩ視断面図である。
【図１４】図１２のＸＩＶ−ＸＩＶ視背面図である。
【図１５】参考例のロッキング状態を示す側面図である。
【図１６】参考例の変形例を示す図である。
【符号の説明】
１    脚体
２    支持フレーム
３    座体
４    背もたれ
５    座受け体
８    背中支持部
９    腰支持部
１０    傾動体
１４    第１リンク
１５    第５軸
１７    第２リンク
１８    ピン穴
２２    長穴
２５    第３リンク
【図１】
0003553302.tif 000002
【図２】
0003553302.tif 000003
【図３】
0003553302.tif 000004
【図４】
0003553302.tif 000005
【図５】
0003553302.tif 000006
【図６】
0003553302.tif 000007
【図７】
0003553302.tif 000008
【図８】
0003553302.tif 000009
【図９】
0003553302.tif 000010
【図１０】
0003553302.tif 000011
【図１１】
0003553302.tif 000012
【図１２】
0003553302.tif 000013
【図１３】
0003553302.tif 000014
【図１４】
0003553302.tif 000015
【図１５】
0003553302.tif 000016
【図１６】
0003553302.tif 000017